(57)【要約】【課題】  花束収容穴で比較的多量ではあるが墓石用花立容器のみではばらけてしまう花も花束として束ねて供えることができると共に、造花等差入体を使用することにより１本１本固定して造花等を供えることもできるなど、多様な生け方に対応できる墓石用花立補助具とする。【解決手段】  花立用蓋体と、造花等差入体とからなり、墓石用花立容器の上部開放部に着脱自在に取り付けて使用する墓石用花立補助具に次の手段を採用する。  第１に、花立用蓋体は、中央に小さな花束収容穴が形成される。  第２に、花立用蓋体の外周に下方に向かう係止部を設け、係止部の内側に墓石用花立容器の上部外側が当接する。  第３に、造花等差入体は、花束収容穴に挿入可能で造花等差入穴が開けられた胴部が形成されると共に、花立用蓋体と係合する花束収容穴より大きな鍔が形成される。  第４に、造花等差入体を花束収容穴に着脱自在に取り付けた。【選択図】        図３
2011231510.tif 000002
【特許請求の範囲】
【請求項１】
墓石用花立容器の上面を覆う花立用蓋体と、造花等を差入れ保持する造花等差入体とからなり、墓石用花立容器の上部開放部に着脱自在に取り付けて使用する墓石用花立補助具において、
前記花立用蓋体は、中央に墓石用花立容器の上部開放部より小さな花束収容穴が形成されると共に、墓石用花立容器の上部外側が内側に当接する係止部が該花立用蓋体の外周に下方に向かって形成され、
前記造花等差入体は、前記花束収容穴に挿入可能で造花等差入穴が開けられた胴部が形成されると共に、前記花立用蓋体と係合する前記花束収容穴より大きな鍔が胴部上端に形成され、
前記造花等差入体を前記花束収容穴に着脱自在に取り付けたことを特徴とする墓石用花立補助具。
【請求項２】
上記花立用蓋体の係止部にボールブランジャ又は蝶ボルトである固定部材を固定部材が上記墓石用花立容器の外周面に対する当接圧を調節可能に取り付けられたことを特徴とする請求項１記載の墓石用花立補助具。
【請求項３】
上記固定部材に、上記造花等差入体の造花等差入穴に差入れ及び係止可能な形状とされた造花等差入体保管レバーが取り付けられたことを特徴とする請求項２記載の墓石用花立補助具。
【発明の詳細な説明】
【技術分野】
【０００１】
本発明は、墓石用花立容器の上部開放部に着脱自在に取り付けて使用する墓石用花立補助具に関するもので、詳しくは、墓石用花立容器の上面を覆う花立用蓋体と、造花等を差入れ保持する造花等差入体とからなる墓石用花立補助具である。
【背景技術】
【０００２】
お盆の季節など夏場に生花を墓石用花立容器に献花すると、温度などの影響により短期間しか持たず、献花を日持ちさせるため造花の使用が望まれていた。造花の場合、少ない本数で献花される場合が多いため、少ない本数であってもしっかりと保持することのできる墓石用花立容器の構造が求められていた。
【０００３】
そのため、特許文献１に示されるように、造花類保持具３が、花立て２の穴５を塞ぐ蓋体９と、穴５の内部に差し込まれる取付け部１０と、造花４の茎６が差し込まれる保持穴１４とを供えているものが提供されていた。尚、この項目における符号は特許文献１で示されるものである。
【０００４】
特許文献１に示される造花類保持具は、造花の茎が差し込まれる保持穴を有するものであるが、実施例における該保持穴は１種、１個である。従って、特許文献１に示されるような造花類保持具であると複数種類の造花を複数献花することができず、又、生花などの花束を献花するに際しても造花類保持具を外し、墓石用花立容器の上部開放部に差入れ、保持をしなければならず、多くの場合、花束が小さすぎ、適正に保持することが困難な場合が多かった。即ち、墓石用花立容器の上部開放部の他にもう少し小さめの花束収容穴が求められていた。
【先行技術文献】
【特許文献】
【０００５】
【特許文献１】特開２００４−２０４５１１号公開特許公報
【発明の概要】
【発明が解決しようとする課題】
【０００６】
本発明は、第１に、中央に花束収容穴を形成された花立用蓋体を使用することにより、比較的多量ではあるが墓石用花立容器のみではばらけてしまう花も花束として束ねて供えることができると共に、造花等差入体を使用することにより１本１本固定して生花や造花等を供えることもできるなど、多様な生け方に対応できる墓石用花立補助具とする。
【０００７】
第２に、花立用蓋体が、墓石用花立容器の上面を覆うことにより、夏期に水の温度が上昇せず、水分の蒸発を防げ、結果として生花を献花した場合にも日持ちが良く、又、墓石用花立容器内にゴミなどが入りにくい墓石用花立補助具とする。
【０００８】
第３に、既存の墓石用花立容器に取り付けることができ、経済性に富み、利便性の高い墓石用花立補助具とする。
【課題を解決するための手段】
【０００９】
上記課題を解決するため、第１の発明は、墓石用花立容器の上面を覆う花立用蓋体と、造花等を差入れ保持する造花等差入体とからなり、墓石用花立容器の上部開放部に着脱自在に取り付けて使用する墓石用花立補助具に次の手段を採用する。
第１に、前記花立用蓋体は、中央に墓石用花立容器の上部開放部より小さな花束収容穴が形成される。
第２に、該花立用蓋体の外周に下方に向かう係止部を設け、該係止部の内側に墓石用花立容器の上部外側が当接する。
第３に、前記造花等差入体は、前記花束収容穴に挿入可能で造花等差入穴が開けられた胴部が形成されると共に、前記花立用蓋体と係合する前記花束収容穴より大きな鍔が胴部上端に形成される。
第４に、前記造花等差入体を前記花束収容穴に着脱自在に取り付けた。
【００１０】
第２の発明は、第１の発明における花立用蓋体の係止部にボールブランジャ又は蝶ボルトである固定部材を固定部材が上記墓石用花立容器の外周面に対する当接圧を調節可能に取り付けられたことを特徴とする墓石用花立補助具である。
【００１１】
第３の発明は、第２の発明における固定部材に、上記造花等差入体の造花等差入穴に差入れ及び係止可能な形状とされた造花等差入体保管レバーが取り付けられたことを特徴とする墓石用花立補助具である。
【発明の効果】
【００１２】
本発明は、第１に、墓石用花立容器の上部開放部に着脱自在に取り付けて使用する墓石用花立補助具が、墓石用花立容器の上面を覆う花立用蓋体と、造花等を差入れ保持する造花等差入体とから構成され、且つ、花立用蓋体が、中央に花束収容穴を形成されているので、花立用蓋体を使用することにより比較的多量ではあるが墓石用花立容器のみではばらけてしまう花も花束として束ねて供えることができる。又、造花等差入体を使用することにより１本１本固定して生花や造花等を供えることもできるなど、多様な生け方に対応できるものとなった。更に、小さめの花束収容穴や造花等差入体により生けられた花が、風などが吹いても倒れてしまうことのない墓石用花立補助具となった。
【００１３】
第２に、花立用蓋体が、墓石用花立容器の上面を覆うよう形成されることにより、夏期には水の温度が上昇せず、水分の蒸発を防げ、結果として花の日持ちも良くし、又、墓石用花立容器内にゴミなどが入りにくい墓石用花立補助具となった。
【００１４】
第３に、既存の墓石用花立容器の上部開放部に着脱自在に取り付けて使用する墓石用花立補助具であるので、経済性に富み、利便性の高い墓石用花立補助具となった。
【００１５】
第２の発明の効果ではあるが、花立用蓋体の係止部にボールブランジャ又は蝶ボルトである固定部材を固定部材が墓石用花立容器の外周面に対する当接圧を調節可能に取り付けていることにより、花立用蓋体が墓石用花立容器から不用意に外れることがない上、墓石用花立容器に対する装着が容易な墓石用花立補助具となった。
【００１６】
第３の発明の効果ではあるが、固定部材に、造花等差入体の造花等差入穴に差入れ及び係止可能な形状とされた造花等差入体保管レバーが取り付けられていることにより、造花等差入体不使用時には、該造花等差入体を造花等差入体保管レバーにて保管でき、造花等差入体を紛失する心配のない墓石用花立補助具となった。
【図面の簡単な説明】
【００１７】
【図１】墓石用花立補助具の分解斜視説明図
【図２】墓石用花立補助具をかぶせた状態の斜視説明図
【図３】同断面図
【図４】造花等差入体を造花等差入体保管レバーに係止した状態の断面図
【図５】花立用蓋体の係止部の他実施例を示す断面図で、（Ａ）は先端を丸めた状態のものを示し、（Ｂ）は先端を曲折した状態のものを示す。
【図６】墓石用花立補助具の使用状態を示す斜視説明図で、（Ａ）は花立用蓋体に造花等差入体を装着して使用する状態を示し、（Ｂ）は花立用蓋体の花束収容穴を使用する状態を示す。
【発明を実施するための形態】
【００１８】
以下，図面に従って，実施例とともに本発明の実施の形態について説明する。
本発明に係る墓石用花立補助具１は、既存の墓石用花立容器４の上部の開放部５に着脱自在に取り付けて使用するものである。既存の墓石用花立容器４は、上部の開放部５に向かってラッパ状に広がる形状のものが適している。墓石用花立補助具１は、図１に示されるように、墓石用花立容器４の上面を覆う花立用蓋体２と、造花６等を差入れて保持する造花等差入体３とからなる。
【００１９】
花立用蓋体２の中央には、図１に示されるように、花束収容穴７が貫通して開けられており、図２に示されるように、該花束収容穴７に造花等差入体３が着脱可能に装着されている。花束収容穴７の大きさは、図４に示されるように、墓石用花立容器４の上部の開放部５より小さな穴であり、実施例では、墓石用花立容器４の上部の開放部５の大きさが約１０ｃｍ弱程であるのに対して、花束収容穴７の径は約３．５ｃｍである。これにより、墓石用花立容器４に直接献花した場合にばらけてしまう量の花束であっても適正に保持可能とすることができる。
【００２０】
図３及び図４に示されるように、花立用蓋体２の外周下方に向かっては、係止部９が形成されている。係止部９は墓石用花立容器４に装着した花立用蓋体２が、簡単に外れることを防止するためのもので、固定部材であるボールブランジャ１３が装着されている。実施例でのボールブランジャ１３はステンレス仕様である。
【００２１】
係止部９は、図３に示すように、墓石用花立容器４の上部外端８が、係止部９の内側に当接し、且つ、下方に向かって太く形成されている。実施例では、墓石用花立容器４の上部外端８が当接する係止部９の内側部分より下端部の内側部分が約１．５ｍｍ程太く形成されている。
【００２２】
その結果、花立用蓋体２の係止部９の内径は、墓石用花立容器４の外周より少し大きめに形成されているが、ボールブランジャ１３のボールの位置から反対方向の係止部９の内側下方部までの距離は、墓石用花立容器４の上部の外径より若干小さく、花立用蓋体２を斜めにして動かすと外れるが、まっすぐのままでは簡単には外れないようにされている。
【００２３】
ボールブランジャ１３は、ネジ部の先端にボールを有し、内よりスプリングにて外に向かって付勢し、ボールが所定幅でスライドする部品である。ボールブランジャ１３はネジ部を回転させられ、ボールの位置から反対方向の係止部９内側の下方部までの距離を位置決めし、墓石用花立容器４の上部の外径の距離と調整をする。尚、精密度では劣るが蝶ボルトで代用することも可能である。
【００２４】
花立用蓋体２を墓石用花立容器４に装着している時は、墓石用花立容器４の上部外端８が係止部９の内側上端に当接し、上方に向かって広く形成された係止部９の内側が、ボールブランジャ１３からの当接圧を受け、墓石用花立容器４の上部外周面をホールドするものである。尚、ボールブランジャ１３の当接圧はネジ部を回転させることにより調節可能である。
【００２５】
係止部９の外側へ突出したボールブランジャ１３の頭部には、ステンレスバネ板で製作された造花等差入体保管レバー１４が取り付けられている。造花等差入体保管レバー１４は、造花等差入体３の造花等差入穴１２に差入れ可能な太さで、下端部が折り返され造花等差入体３が係止可能な形状の引っ掛け部１５を形成したものである。
【００２６】
以上、図１乃至図４に示す実施例における花立用蓋体２について説明したが、花立用蓋体２は、図５（Ａ）（Ｂ）に示すように、スチール板を用い係止部９を下方に曲折して形成すると共に、ボールブランジャ１３に変わる固定部を係止部９の先端を丸めて形成したり、先端を波状に曲折して形成したりすることも可能である。
【００２７】
造花等差入体３は、花束収容穴７に挿入可能で造花等差入穴１２が形成された胴部１０と、花立用蓋体２と係合するよう該胴部１０上端に形成される花束収容穴７より大きな鍔１１とからなる。造花等差入体３は、プラスチック樹脂又はステンレスであることが好ましく、実施例では、ポリ塩化ビニールが使用されている。
【００２８】
胴部１０は、花束収容穴７に摺接して挿入可能な太さの円柱形に形成されている。実施例での胴部１０は、花束収容穴７より約０．１ｍｍ程細く、長さは約３．８ｃｍである。
【００２９】
鍔１１は、花立用蓋体２と係合するよう胴部１０より大きく、胴部１０上端に形成されている。実施例では、花立用蓋体２と係合する部分が幅約１ｃｍであり、厚みは５ｍｍである。尚、造花等差入体３は花束収容穴７に着脱自在に取り付けられるものである。
【００３０】
造花等差入体３には２種類以上の異なる径を持つ造花等差入穴１２が造花等差入体３を貫通して形成されている。実施例では、４種類、７個の造花等差入穴１２が形成されている。造花等差入穴１２は、造花等差入体３の中心部に１個、造花等差入体３の中心から同心円上で６等分した位置にそれぞれ１個ずつ計６個形成されている。
【００３１】
以下、墓石用花立補助具１の使用状態について説明する。図６は墓石用花立補助具の使用状態を示す斜視説明図で、（Ａ）は花立用蓋体２に造花等差入体３を装着して、該造花等差入体３の造花等差入穴１２に造花６を所望本数差し入れた状態を示している。尚、造花等差入穴１２は、造花等差入体３を貫通して形成されているため、墓石用花立容器４内に水を入れて使用すれば、生花を利用することも可能である。他方、図６（Ｂ）のように造花等差入体３を外し、花束収容穴７に花束を差し入れて使用する場合は、造花等差入体３を造花等差入体保管レバー１４に引っ掛け、保持することにより不用意に紛失する虞がなくなる。
【符号の説明】
【００３２】
１・・・・・・・・・墓石用花立補助具
２・・・・・・・・・花立用蓋体
３・・・・・・・・・造花等差入体
４・・・・・・・・・墓石用花立容器
５・・・・・・・・・開放部
６・・・・・・・・・造花
７・・・・・・・・・花束収容穴
８・・・・・・・・・上部外端
９・・・・・・・・・係止部
１０・・・・・・・・胴部
１１・・・・・・・・鍔
１２・・・・・・・・造花等差入穴
１３・・・・・・・・ボールブランジャ
１４・・・・・・・・造花等差入体保管レバー
１５・・・・・・・・引っ掛け部
【図１】
2011231510.tif 000003
【図２】
2011231510.tif 000004
【図３】
2011231510.tif 000005
【図４】
2011231510.tif 000006
【図５】
2011231510.tif 000007
【図６】
2011231510.tif 000008